(57)【要約】【課題】種々の酒類ボトルに対し、簡単な操作によって、元のボトルの意匠性を損なうことなく、更なる斬新な装飾性を加えたり、個人や酒屋、飲酒提供店等の独自性を表現することを可能にする手段を提供する。【解決手段】酒類ボトル２Ａ，２Ｂに上方から嵌装するボトルカバー１Ａ，１Ｂであって、酒類ボトル２Ａ，２Ｂにおける先端に注ぎ口２ａを有する首部２１の周囲を覆う筒状カバー部１１と、酒類ボトル２Ａ，２Ｂの肩部２２の周囲を覆う碗状カバー部１２とで構成され、外周面に装飾模様１４，１５が施されてなる。【選択図】図１
2019094097.tif 000002
【特許請求の範囲】
【請求項１】
酒類ボトルに上方から嵌装するボトルカバーであって、該酒類ボトルにおける先端に注ぎ口を有する首部の周囲を覆う筒状カバー部と、該酒類ボトルの肩部の周囲を覆う碗状カバー部とで構成され、外周面に装飾模様が施されてなる酒類ボトルカバー。
【請求項２】
前記筒状カバー部と碗状カバー部とが独立した別部材よりなる請求項１に記載の酒類ボトルカバー。
【請求項３】
材木からの削り出し品からなる請求項１又は２に記載の酒類ボトルカバー。
【請求項４】
レバー開閉式の注ぎ口キャップを付属し、酒類ボトルに嵌装したボトルカバーの前記筒状カバー部が前記注ぎ口に止着した該注ぎ口キャップによって抜け止めされるように構成されてなる請求項１〜３のいずれかに記載の酒類ボトルカバー。
【発明の詳細な説明】
【技術分野】
【０００１】
本発明は、ウイスキー、ブランデー、ワイン、清酒、焼酎等の種々の酒類ボトルに嵌装するボトルカバーに関する。
【背景技術】
【０００２】
旧来より、酒類ボトルとして様々な形態のものが登場しており、それらの形態は内容物の銘柄に関連した高級感、希少感、独特感等を印象付けることにもなっている。しかしながら、酒類ボトル自体の形態を含むデザインは、メーカー（酒造）から出荷される商品として一律であるため、それ以上の変化がなく、興趣に乏しいという難点があった。
【０００３】
一方、既存の酒類ボトルに装飾性を付与する手段として、例えば特許文献１には、和紙条の織物を袋状にして酒類ボトルに被せることが開示されている。しかるに、この袋状にした和紙条の織物では、和紙織物としての独特な装飾性を付与できるものの、袋として酒類ボトルの大部分又は全体を覆ってしまうため、ボトル表面に貼着されている意匠性の高い銘柄ラベルやボトル表面の凹凸模様、ガラス着色を隠すことになり、却って元のボトルの意匠性を損なうことになる。
【先行技術文献】
【特許文献】
【０００４】
【特許文献１】実用新案登録第３０５９９１８号公報
【発明の概要】
【発明が解決しようとする課題】
【０００５】
本発明は、上述の事情に鑑みて、種々の酒類ボトルに対し、簡単な操作によって、元のボトルの意匠性を損なうことなく、更なる斬新で興趣に富む装飾性を加えたり、個人や酒屋、飲酒提供店等の独自性を表現することを可能にする手段を提供することを目的としている。
【課題を解決するための手段】
【０００６】
上記目的を達成するために、請求項１の発明は、図面の参照符号を付して示せば、酒類ボトル２Ａ，２Ｂに上方から嵌装するボトルカバー１Ａ，１Ｂであって、該酒類ボトル２Ａ，２Ｂにおける先端に注ぎ口２ａを有する首部２１の周囲を覆う筒状カバー部１１と、該酒類ボトル２Ａ，２Ｂの肩部２２の周囲を覆う碗状カバー部１２とで構成され、外周面に装飾模様１４，１５が施されてなることを特徴としている。
【０００７】
請求項２の発明は、上記請求項１の酒類ボトルカバー１Ａ，１Ｂにおいて、筒状カバー部１１と碗状カバー部１２とが独立した別部材よりなる構成としている。
【０００８】
請求項３の発明は、上記請求項１又は２の酒類ボトルカバー１Ａ，１Ｂが材木からの削り出し品からなることを特徴としている。
【０００９】
請求項４の発明は、上記請求項１〜３のいずれかの酒類ボトルカバー１Ａ，１Ｂにおいて、レバー開閉式の注ぎ口キャップ３を付属し、酒類ボトル２Ａ，２Ｂに嵌装したボトルカバー１Ａ，１Ｂの筒状カバー部１１が注ぎ口２ａに止着した該注ぎ口キャップ３によって抜け止めされるように構成されてなることを特徴としている。
【発明の効果】
【００１０】
次に、本発明の効果について、図面の参照符号を付して説明する。本発明の酒類ボトルカバー１Ａ，１Ｂは、酒類ボトル２Ａ，２Ｂに上方から嵌装するものであるが、外周面に装飾模様１４，１５を有するから、該酒類ボトル２Ａ，２Ｂに対して斬新で興趣に富む独自の装飾性を付与でき、しかも該酒類ボトル２Ａ，２Ｂの首部２１及び肩部２２の周囲だけを覆うため、ボトル本体部２０に貼着されている銘柄ラベルを隠さず、また外観的にボトル表面の凹凸模様や色合いを充分に視認できるので、元のボトルの意匠性を殆ど損なうことがない。そして、この酒類ボトルカバー１Ａ，１Ｂとして装飾模様１４，１５の異なるものを採用することにより、個人や酒屋、飲酒提供店等の独自性を表現することができる。
【００１１】
この酒類ボトルカバー１Ａ，１Ｂは、酒類ボトル２Ａ，２Ｂの首部２１の周囲を覆う筒状カバー部１１と、肩部２２の周囲を覆う碗状カバー部１２とからなるが、両カバー部１１，１２を独立した別部材とすれば、各々の製作が容易になることに加え、異なる形態の酒類ボトル２Ａ，２Ｂであっても首部２１又は肩部２２のサイズが近似しておれば、両カバー部１１，１２の一方を共用できると共に、同じ酒類ボトルの場合でも両カバー部１１，１２として装飾模様や色合いの異なるものを組み合わせて装飾の多様化を図り得る。また、該ボトルカバー１Ａ，１Ｂとして材木からの削り出し品を採用すれば、木による趣のある質感が得られ、高級感をより高めることができる。
【００１２】
一方、この酒類ボトルカバー１Ａ，１Ｂと共にレバー開閉式の注ぎ口キャップ３を用い、酒類ボトル２Ａ，２Ｂにボトルカバー１Ａ，１Ｂを嵌装後、注ぎ口２ａに止着した該注ぎ口キャップ３によってボトルカバー１Ａ，１Ｂを抜け止めすれば、ボトルカバー１Ａ，１Ｂを外さずに内部の酒類をグラス等に容易に注ぐことができる。
【図面の簡単な説明】
【００１３】
【図１】本発明の第一実施形態に係るボトルカバーを酒類ボトルに嵌装する操作を示す展開斜視図である。
【図２】同ボトルカバー及び注ぎ口キャップを嵌装した酒類ボトルの側面図である。
【図３】同ボトルカバー及び注ぎ口キャップを嵌装した酒類ボトル上部側の要部破断側面図である。
【図４】本発明の第二実施形態に係るボトルカバー及び注ぎ口キャップを嵌装した酒類ボトルの側面図である。
【発明を実施するための形態】
【００１４】
以下に、本発明の酒類ボトルカバーの実施形態について、図面を参照して具体的に説明する。図１〜図３は第一実施形態、図４は第二実施形態を示す。
【００１５】
図１及び図２で示す第一実施形態の酒類ボトルカバー１Ａは、ボトル本体部２０がずんぐりしたウイスキー，ブランデー，焼酎用等の酒類ボトル２Ａに適用するものであり、該酒類ボトル２の首部２１の周囲を覆う筒状カバー部１１と、該酒類ボトル２の肩部２２の周囲を覆う碗状カバー部１２とで構成されており、その筒状カバー部１１及び碗状カバー部１２の外周面には各々花柄の装飾模様１４，１５が施されている。
【００１６】
一方、酒類ボトル２Ａは、着色ガラス製であり、首部２１の注ぎ口２ａを有する先端側が図示省略したキャップを螺着させる径小の雄ねじ筒部２１ａとなり、該雄ねじ筒部２１ａの基端に僅かに径大のフランジ部２１が構成されている。そして、ボトル本体部２０には、前面側に酒類の銘柄と品種等を表示する銘柄ラベル２３が、背面側にメーカー名と成分や容量等を記載した説明ラベル２４が、それぞれ貼着されている。
【００１７】
筒状カバー部１１は、酒類ボトル２の首部２１のやや先細りの形状に対応し、先端側へ若干縮径した円筒状に構成されている。また、碗状カバー部１２は、中央に酒類ボトル２の首部２１を突出させる円孔１２ａを備え、内周面が該酒類ボトル２の肩部２２に略密接する形状及びサイズに設定されている。そして、筒状カバー部１１の下端外径は碗状カバー部１２の円孔１２ａよりも少し径大であり、これによって図１の仮想線で示すように、上方から先に酒類ボトル２の肩部２２に被せた碗状カバー部１２上に、後から首部２１に嵌装した筒状カバー部１１が載ることになる。
【００１８】
かくして酒類ボトルカバー１Ａの筒状カバー部１１及び碗状カバー部１２を嵌装した酒類ボトル２Ａには、その首部２１の雄ねじ筒部２１ａに元のねじキャップを螺着してもよいが、該キャップの外径が筒状カバー部１１の上端内径より小さい場合は、ボトルカバー１Ａの抜け止めのために該ねじキャップに代えて、図２及び図３で例示するようにレバー開閉式の注ぎ口キャップ３を用いることが推奨される。
【００１９】
この注ぎ口キャップ３は、硬質合成樹脂成形物もしくは木工品からなり、円筒状の筒口部材３１と、円盤状のキャップ３２及びレバー３３の一体物とが枢支ピン３４を介して枢着連結されている。図３に示すように、筒口部材３１は、上端の注出口３ａが前方に高く傾斜しており、下端側が酒類ボトル２Ａの雄ねじ筒部２１ａに螺合する雌ねじ筒部３１ａをなすと共に、その上位の外周後部に枢支ピン３４を支持するブラケット３１ｂが突設されている。そして、キャップ３２は、枢支ピン３４に介装したバネ部材（図示省略）の弾発力により、常時は注出口３ａに密着して被さるように付勢されているが、後方へ張出したレバー３３を弾発力に抗して矢印の如く前方へ回動させることにより、図の仮想線の如く注出口３ａから離間して当該注出口３ａを開放するようになっている。
【００２０】
図４で示す第二実施形態の酒類ボトルカバー１Ｂは、ボトル本体部２０が長円筒状をなすワイン，高級清酒用等の酒類ボトル２Ｂに適用するものであり、第一実施形態と同様に該酒類ボトル２Ｂの首部（図示省略、図１の符号２１参照）に嵌装する筒状カバー部１１と肩部（図示省略、図１の符号２２参照）に嵌装する碗状カバー部１２とからなるが、筒状カバー部１１が第一実施形態とは逆に先端側へ若干拡径した円筒状に構成されている。そして、該酒類ボトル２Ｂの注ぎ口（図示省略、図１の符号２ａ参照）には、第一実施形態と同様にレバー開閉式の注ぎ口キャップ３が止着されており、これによってボトルカバー１Ｂが抜け止めされている。
【００２１】
上述した第一及び第二実施形態の酒類ボトルカバー１Ａ，１Ｂは、外周面に装飾模様１４，１５を有するから、該酒類ボトル２Ａ，２Ｂに対して上方から嵌装するだけで斬新で興趣に富む独自の装飾性を付与できる上、該酒類ボトル２Ａ，２Ｂの首部２１及び肩部２２の周囲だけを覆うため、ボトル本体部２０に貼着されている意匠製の高い銘柄ラベル２３や説明ラベル２４を隠さず、また外観的にボトル表面に施された凹凸模様やガラスの色合い等も充分に視認できるので、元のボトルの意匠性を殆ど損なうことがない。
【００２２】
酒類ボトルカバー１Ａ，１Ｂの材質としては、特に制約はなく、木質材、硬質合成樹脂成形物、金属等を採用できるが、特に材木からの削り出し品では木肌による趣のある高級な質感が得られるために好適である。
【００２３】
装飾模様１４，１５としては、実施形態では花柄模様を例示しているが、花鳥風月や山野のような自然物に関連する図柄の他、幾何学模様やランダムパターンの線画、種々の物品や建造物を表す図柄等、彩色を含めて全く制約はない。また、装飾模様１４，１５の形成手段としても、着色料を用いた手書き、図柄を表示したフィルムやラベルの貼着、彫刻、印刷、螺鈿のような装飾片の埋め込み等の種々の方法を採用できる。更に、ボトルカバー１Ａ，１Ｂが木質材である場合、表面に木目が現れるようなニス塗りや、より高級感を醸す漆塗りを施してもよい。そして、この酒類ボトルカバー１Ａ，１Ｂとして装飾模様１４，１５の異なるものを採用することにより、個人や酒屋、飲酒提供店等の独自性を表現することができる。
【００２４】
一方、酒類ボトル２Ａ，２Ｂの首部２１の周囲を覆う筒状カバー部１１と、肩部２２の周囲を覆う碗状カバー部１２とは、一体化することも可能であるが、実施形態のように両カバー部１１，１２を独立した別部材とすれば、各々の形態が単純化することで製作容易になることに加え、異なる形態の酒類ボトル２Ａ，２Ｂであっても首部２１又は肩部２２のサイズが近似しておれば、両カバー部１１，１２の一方を共用できると共に、同じ酒類ボトルの場合でも両カバー部１１，１２として装飾模様や色合いの異なるものを組み合わせて装飾の多様化を図り得るという利点がある。
【００２５】
更に、本発明の酒類ボトルカバーは、第一及び第二実施形態で例示した酒類ボトル２Ａ，２Ｂのようにボトル本体２０の横断面が円形のものに限らず、該横断面が矩形や多角形、楕円形等の非円形である酒類ボトルについても、肩部２２の周囲を覆う碗状カバー部１２の下部側を対応する非円形に設定することで適用可能である。
【００２６】
また、第一及び第二実施形態では酒類ボトル２Ａ，２Ｂに嵌装した酒類ボトルカバー１Ａ，１Ｂをレバー開閉式の注ぎ口キャップ３にて抜け止めしているが、酒類ボトル２Ａ，２Ｂに付随する元のキャップの外径が筒状カバー部１１の上端内径より大きければ、その元のキャップを注ぎ口２ａに装着することで抜け止めを行える。ただし、レバー開閉式の注ぎ口キャップ３を採用すれば、ボトルカバー１Ａ，１Ｂを外さずに内部の酒類をグラス等に容易に注ぐことができるという利点がある。
【００２７】
なお、レバー開閉式の注ぎ口キャップ３としては、第一及び第二実施形態で例示したものに限らず、注出口３ａの形状、酒類ボトルの注ぎ口２ａに対する筒口部材３１の止着構造、キャップ３２及びレバー３３の形態等、種々異なるものを採用できる。例えば、注出口３ａは、例示では前方に高く傾斜した形態（本出願人に係る意匠登録第１５５１４８９号に対応）であるが、開口縁が水平な形態（同意匠登録第１５５１４８８号に対応）であってもよい。
【符号の説明】
【００２８】
１Ａ，１Ｂ      酒類ボトルカバー
１１            筒状カバー部
１２            碗状カバー部
１４，１５      装飾模様
２Ａ，２Ｂ      酒類ボトル
２ａ            注ぎ口
２０            ボトル本体
２１            首部
２２            肩部
３              レバー開閉式の注ぎ口キャップ
【図１】
2019094097.tif 000003
【図２】
2019094097.tif 000004
【図３】
2019094097.tif 000005
【図４】
2019094097.tif 000006
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
酒類ボトルに上方から嵌装するボトルカバーであって、該酒類ボトルの肩部の周囲を覆う碗状カバー部で構成され、外周面に装飾模様が施されてなる酒類ボトルカバー。
【請求項２】
前記酒類ボトルにおける先端に注ぎ口を有する首部の周囲を覆う筒状カバー部をさらに備え、該筒状カバー部外周面にも装飾模様が施されてなる請求項１に記載の酒類ボトルカバー。
【請求項３】
前記筒状カバー部と碗状カバー部とが独立した別部材よりなる請求項２に記載の酒類ボトルカバー。
【請求項４】
レバー開閉式の注ぎ口キャップを付属し、酒類ボトルに嵌装したボトルカバーの前記筒状カバー部が前記注ぎ口に止着した該注ぎ口キャップによって抜け止めされるように構成されてなる請求項２又は３に記載の酒類ボトルカバー。
【手続補正２】
【補正対象書類名】明細書
【補正対象項目名】０００６
【補正方法】変更
【補正の内容】
【０００６】
上記目的を達成するために、請求項１の発明は、図面の参照符号を付して示せば、酒類ボトル２Ａ，２Ｂに上方から嵌装するボトルカバー１Ａ，１Ｂであって、該酒類ボトル２Ａ，２Ｂの肩部２２の周囲を覆う碗状カバー部１２で構成され、外周面に装飾模様１５が施されてなることを特徴としている。
【手続補正３】
【補正対象書類名】明細書
【補正対象項目名】０００７
【補正方法】変更
【補正の内容】
【０００７】
請求項２の発明は、上記請求項１の酒類ボトルカバー１Ａ，１Ｂにおいて、前記酒類ボトル２Ａ，２Ｂにおける先端に注ぎ口２ａを有する首部２１の周囲を覆う筒状カバー部１１をさらに備え、該筒状カバー部１１外周面にも装飾模様１４が施されてなることを特徴としている。
【手続補正４】
【補正対象書類名】明細書
【補正対象項目名】０００８
【補正方法】変更
【補正の内容】
【０００８】
請求項３の発明は、上記請求項２の酒類ボトルカバー１Ａ，１Ｂにおいて、筒状カバー部１１と碗状カバー部１２とが独立した別部材よりなる構成としている。
【手続補正５】
【補正対象書類名】明細書
【補正対象項目名】０００９
【補正方法】変更
【補正の内容】
【０００９】
請求項４の発明は、上記請求項２又は３の酒類ボトルカバー１Ａ，１Ｂにおいて、レバー開閉式の注ぎ口キャップ３を付属し、酒類ボトル２Ａ，２Ｂに嵌装したボトルカバー１Ａ，１Ｂの筒状カバー部１１が注ぎ口２ａに止着した該注ぎ口キャップ３によって抜け止めされるように構成されてなることを特徴としている。
【手続補正６】
【補正対象書類名】明細書
【補正対象項目名】００１０
【補正方法】変更
【補正の内容】
【００１０】
次に、本発明の効果について、図面の参照符号を付して説明する。本発明の酒類ボトルカバー１Ａ，１Ｂは、酒類ボトル２Ａ，２Ｂに上方から嵌装するものであるが、外周面に装飾模様１５を有するから、該酒類ボトル２Ａ，２Ｂに対して斬新で興趣に富む独自の装飾性を付与でき、しかも該酒類ボトル２Ａ，２Ｂの肩部２２の周囲だけを覆うため、ボトル本体部２０に貼着されている銘柄ラベルを隠さず、また外観的にボトル表面の凹凸模様や色合いを充分に視認できるので、元のボトルの意匠性を殆ど損なうことがない。そして、この酒類ボトルカバー１Ａ，１Ｂとして装飾模様１５の異なるものを採用することにより、個人や酒屋、飲酒提供店等の独自性を表現することができる。そしてさらに、酒類ボトル２Ａ，２Ｂの首部２１の周囲も覆い、その外周面にも装飾模様１４を有するようにすれば、上述した効果をより発揮させることができる。
【手続補正７】
【補正対象書類名】明細書
【補正対象項目名】００１１
【補正方法】変更
【補正の内容】
【００１１】
この酒類ボトルカバー１Ａ，１Ｂは、酒類ボトル２Ａ，２Ｂの首部２１の周囲を覆う筒状カバー部１１と、肩部２２の周囲を覆う碗状カバー部１２とからなるが、両カバー部１１，１２を独立した別部材とすれば、各々の製作が容易になることに加え、異なる形態の酒類ボトル２Ａ，２Ｂであっても首部２１又は肩部２２のサイズが近似しておれば、両カバー部１１，１２の一方を共用できると共に、同じ酒類ボトルの場合でも両カバー部１１，１２として装飾模様や色合いの異なるものを組み合わせて装飾の多様化を図り得る。